(57)【特許請求の範囲】
【請求項１】
一方向に延びた導光部材と、
前記導光部材の長手方向に直交する方向において前記導光部材と並び、前記導光部材に固定される固定部材とを具備し、
前記導光部材は、
前記導光部材の長手方向に延びた透光性を有するコアと、
前記導光部材の長手方向に延び、前記コアの外周面に積層された透光性を有するクラッドとを備え、
前記コアは、
前記コアの長手方向の一方の端面で構成された入光面と、
前記コアの前記固定部材とは反対側に臨んだ面で構成された出光面と、
前記コアの前記出光面とは反対側の一面であって、前記入光面から入射した光を前記出光面側に反射する反射面とを有し、
前記クラッドは、
前記クラッドの前記固定部材側の端部に形成され、前記固定部材を引掛可能な引掛部を有し、
前記導光部材の長手方向に直交しかつ前記導光部材と前記固定部材とが並ぶ方向を第１方向とし、前記導光部材の長手方向と直交しかつ前記第１方向と直交する方向を第２方向としたとき、
前記引掛部は、
前記クラッドの前記第２方向における両側の各々に形成された掛止部を有し、
前記反射面は、前記第１方向に見て、前記両掛止部の間に位置し、
前記反射面は、前記両掛止部の間において露出し、
前記固定部材は、
前記クラッドにおける前記両掛止部の間の部分を覆うカバー部を備え、
前記導光部材と前記カバー部との間に配置され、前記反射面のうち前記両掛止部の間において露出した部分を覆う反射シートをさらに具備し、
前記反射シートは、前記反射面に沿い、前記コアから前記反射面を介して出射された光を前記コアに向かって反射するように構成され、
前記クラッドは、
前記クラッドの前記第２方向における両側の各々に形成され、前記クラッドの前記第２方向における中央側に向かって開口した保持溝を有し、
前記反射シートの前記第２方向における両端部が、前記両保持溝にそれぞれ挿入されており、前記反射シートが前記両保持溝により保持されたことを特徴とする導光器。
【請求項２】
前記反射面と前記カバー部との間に、電線を配置するための隙間が形成されたことを特徴とする請求項１に記載の導光器。
【請求項３】
前記コアの前記第２方向における両側の側面の各々は、前記コアの外側に向かって膨らんだ弧状の曲面であり、
前記出光面において前記第２方向における中間部は、前記固定部材側に凹んだ凹曲面であり、
前記出光面の前記第２方向における両側の端部の各々は、前記第２方向において前記出光面の外側に近い部分ほど前記第１方向において前記固定部材に近づくように湾曲した湾曲面であることを特徴とする請求項１又は請求項２に記載の導光器。
【請求項４】
前記固定部材の前記第２方向における両側の側面は、前記クラッドの前記第２方向における両側の側面と面一であることを特徴とする請求項１〜３のいずれか１項に記載の導光器。
【発明の詳細な説明】
【技術分野】
【０００１】
本発明は導光器及び導光部材の製造方法に関する。
【背景技術】
【０００２】
特許文献１には線状発光装置が開示されている。この線状発光装置は、直線状の導光体と、導光体の長手方向の両側の各々に配置された発光ダイオードとを具備している。両発光ダイオードから出た光は、導光体の長手方向の両側の端部から導光体に入射する。この光は、導光体の長手方向に沿って設けられた拡散反射部で反射し、この後、導光体の外周面の一部である出射部から出射する。
【先行技術文献】
【特許文献】
【０００３】
【特許文献１】特開２０１２−３８４７０号公報
【発明の概要】
【発明が解決しようとする課題】
【０００４】
ところで、前記線状発光装置の導光体は、長手方向と直交する断面形状が円形である。このため、導光体の外周面には、他の部材を引っ掛けて固定することが難しく、導光体を他の部材にしっかりと固定し難い。
【０００５】
本発明は前記事情に鑑みてなされたものであって、固定部材を導光部材に簡単かつ強固に固定できる導光器及び導光部材の製造方法を提供することを目的とする。
【課題を解決するための手段】
【０００６】
前記目的を達成するために本発明の導光器は、一方向に延びた導光部材と、前記導光部材の長手方向に直交する方向において前記導光部材と並び、前記導光部材に固定される固定部材とを具備し、前記導光部材は、前記導光部材の長手方向に延びた透光性を有するコアと、前記導光部材の長手方向に延び、前記コアの外周面に積層された透光性を有するクラッドとを備え、前記コアは、前記コアの長手方向の一方の端面で構成された入光面と、前記コアの前記固定部材とは反対側に臨んだ面で構成された出光面と、前記入光面から入射した光を前記出光面側に反射する反射部とを有し、前記クラッドは、前記クラッドの前記固定部材側の端部に形成され、前記固定部材を引掛可能な引掛部を有することを特徴とする。
【０００７】
また、本発明の導光部材の製造方法は、一方向に延びた導光部材の製造方法であって、前記導光部材は、前記導光部材の長手方向に延びた透光性を有するコアと、前記導光部材の長手方向に延びて前記コアの外周面に積層された透光性を有するクラッドとを備え、前記コアは、前記コアの長手方向の一端面で構成された入光面と、前記コアの長手方向に沿った一面で構成された出光面と、前記入光面から入射した光を前記出光面側に反射する反射部とを有し、前記クラッドは、前記クラッドの前記固定部材側の端部に形成され、前記導光部材とは異なる他の部材を引掛可能な引掛部を備え、前記コアと前記クラッドとを２色押出成形により成形することを特徴とする。
【発明の効果】
【０００８】
本発明に係る導光器は、導光部材を固定部材に簡単かつ強固に固定できる。
【０００９】
また、本発明に係る導光部材の製造方法は、他の部材に簡単かつ強固に固定できる導光部材を２色押出成形により容易に製造できる。
【図面の簡単な説明】
【００１０】
【図１】図１は、本発明の実施形態に係る第１例の導光器を具備した照明装置の概略図である。
【図２】図２は、前記導光器の断面図である。
【図３】図３は、前記導光器が備える導光部材の斜視図である。
【図４】図４は、前記導光部材の製造装置を示す斜視図である。
【図５】図５は、本発明の実施形態に係る第２例の導光器の断面図である。
【発明を実施するための形態】
【００１１】
以下に示す発明は、詳しくは一方向に延びた導光部材の端部から導光部材に導入された光を導光部材の長手方向と直交する方向に出射する導光器及び導光部材の製造方法に関する。以下、添付図面に基づき、本実施形態の第１例及び第２例の導光器ついて説明する。
【００１２】
（第１例）
本実施形態の第１例の導光器２は、例えば図１に示されるように照明装置１に組み込まれて利用される。照明装置１は、例えば部屋の天井や壁、床、キャビネットやパネル等の設置部９０に設置される。
【００１３】
照明装置１は、一方向に延びた形状を有している。照明装置１は、照明装置１の長手方向に延びた導光器２と、導光器２に向けて光を発する光源１０とを具備している。
【００１４】
光源１０は、導光器２の長手方向の両側に設けられた１対の発光体１１を具備している。各発光体１１は発光ダイオードである。
【００１５】
導光器２は、導光部材３と、導光部材３に対して固定される固定部材８とを具備している。導光部材３と固定部材８は、共に導光器２の長手方向に延びた直線状である。導光部材３と固定部材８は、導光部材３の長手方向と直交する方向に並んでいる。以下、導光部材３と固定部材８とが並ぶ方向を第１方向といい、導光部材３の長手方向と直交しかつ第１方向と直交する方向を第２方向（図２参照）という。
【００１６】
導光部材３は、図２に示されるコア４とクラッド６とで構成された２層構造の合成樹脂成形品である。コア４は導光部材３の長手方向に延びている。クラッド６は、導光部材３の長手方向に延びてコア４の外周面に積層されている。導光部材３の長手方向と直交する断面の形状は、導光部材３の第２方向における中心を通る中心線Ｌを中心にした線対称形状である。
【００１７】
コア４は透明であり、透光性を有している。本例のコア４はアクリル樹脂から形成されている。
【００１８】
コア４の長手方向と直交する断面の形状は、コア４の長手方向に亘って略一様である。図３に示されるように、コア４は、入光面４１と出光面４３を備えている。入光面４１は、コア４の長手方向の一方の端面で構成されている。
【００１９】
本例のコア４は、コア４の入光面４１とは反対側の端面で構成された入光面４２をさらに有している。以下、必要に応じて、入光面４１を第１入光面４１といい、入光面４２を第２入光面４２という。
【００２０】
第１入光面４１と第２入光面４２の各々は、コア４の長手方向に直交した平面である。図１に示されるように、照明装置１は、導光器２の長手方向の両側に設けられた１対の回路基板１２をさらに具備している。各発光体１１は、対応する回路基板１２に実装されている。各回路基板１２に設けられた回路から、対応する発光体１１に電力が供給されると、各発光体１１は発光する。
【００２１】
一対の発光体１１は、同時に発光する。各発光体１１から発せられた光は、対応する入光面４１（又は４２）からコア４に入射し、この後、コア４の内部において反射を繰り返しながら反対側の入光面４２（又は４１）に向かって伝播する。
【００２２】
出光面４３は、図２に示されるようにコア４の固定部材８とは反対側に臨んだ一面で構成されている。図３に示されるように、出光面４３は、コア４の長手方向に沿った面であり、コア４の長手方向の全長に亘っている。出光面４３は、第１入光面４１と第２入光面４２とからコア４に導入された光を、出光面４３の全体から帯状の光として出射する。
【００２３】
コア４は、第１入光面４１と第２入光面４２とからコア４に入射した光を、出光面４３側に反射する反射部をさらに備えている。本例の反射部は、コア４の出光面４３とは反対側の面（すなわち、固定部材８側に臨んだ一面）である反射面５１によって構成されている。反射面５１は、コア４の長手方向に沿った一面であり、コア４の長手方向の全長に亘っている。反射面５１の幅（第２方向の寸法）は、出光面４３の幅（第２方向の寸法）よりも小さい。
【００２４】
反射面５１には、第１入光面４１と第２入光面４２とからコア４に入射した光を、拡散して出光面４３側に反射する拡散反射部が形成されている。拡散反射部は、図３に示されるように、コア４の長手方向に並んだ複数（多数）の拡散溝４５で構成されている。各拡散溝４５は、第１方向に見て導光部材３の長手方向と交差する方向に延びている。第１入光面４１と第２入光面４２からコア４に入射した光は、各拡散溝４５の側面に当たることで拡散し、出光面４３又はコア４の第２方向における両側の側面に向かって反射する。
【００２５】
図２に示されるように、本例のコア４は、コア４の第２方向における両側に形成された１対の反射面５２をさらに有している。以下、反射面５１を第１反射面５１といい、一対の反射面５２の各々を第２反射面５２という。
【００２６】
１対の第２反射面５２は、コア４の第２方向における両側の側面で構成されている。第１反射面５１と出光面４３は、１対の第２反射面５２を介して接続されている。
【００２７】
１対の第２反射面５２は、第１入光面４１と第２入光面４２からコア４に入射した光を出光面４３側に反射する。これにより、一対の入光面４１からコア４に入った光は、出光面４３から出射しやすくなる。なお、１対の第２反射面５２によって反射される光には、第１反射面５１で反射した後に１対の第２反射面５２に至った光だけでなく、第１反射面５１を介さずに１対の第２反射面５２に至った光も含む。
【００２８】
コア４の幅（第２方向の寸法）は、第１方向において出光面４３に近い部分ほど大きくなっている。１対の第２反射面５２の各々は、図２に示されるようにコア４の長手方向に見てコア４の外側に膨らんだ弧状の曲面となっている。また、１対の第２反射面５２においては、第１反射面５１に近い部分ほど、第１反射面５１に対する角度θが小さくなっている。このため、第１反射面５１で反射した後に、１対の第２反射面５２に至った光は、１対の第２反射面５２によって出光面４３側に全反射しやすくなっている。
【００２９】
出光面４３において第２方向における中間部は、固定部材８側に凹んだ凹曲面４６となっている。凹曲面４６は、第１方向に見て弧状である。凹曲面４６から出射される光は、図２に破線で示されるように第２方向の外側に向かって屈曲しやすくなる。このため、凹曲面４６から出射された光により凹曲面４６よりも幅の広い領域が照らされる。
【００３０】
出光面４３の第２方向における両側の端部の各々は、第２方向において出光面４３の外側に位置する部分ほど第１方向において固定部材８側に近づくように湾曲した湾曲面４７になっている。各湾曲面４７は、第２方向において第１反射面５１よりも外側に位置している。凹曲面４６の第２方向における両端は、対応する湾曲面４７を介して、対応する第２反射面５２に接続されている。
【００３１】
第１反射面５１で反射した後に両湾曲面４７から出射する光は、図２に破線で示されるように、両湾曲面４７によって若干の拡散性が付与される。すなわち、第１反射面５１から出光面４３に向かってコア４の第２方向の外側に広がる光が両湾曲面４７に達すると、これら光は両湾曲面４７において出光面４３の幅方向の中央側に屈曲する。このため、出光面４３全体から出射された帯状の光の照射領域における幅方向の両側部分にあっては、その照度が幅方向の外側に行くにつれて緩やかに低下し、前記照射領域とそれ以外の領域との境界部分がぼかされたようになる。
【００３２】
コア４を被覆するクラッド６は、透明であり、透光性を有している。クラッド６は、コア４よりも耐傷性が優れた材料から形成されている。クラッド６は、導光部材３の表面材を構成し、コア４の表面を保護する。本例のクラッド６はフッ素系樹脂から形成されている。
【００３３】
クラッド６の長さは、コア４の長さと同じである。クラッド６は、図２に示されるように、コア４の外周面において第１反射面５１を除く部分（すなわち、出光面４３及び１対の第２反射面５２）の全体を覆う。
【００３４】
クラッド６の長手方向と直交する断面の形状は、コア４の長手方向に亘って一様である。クラッド６の長手方向と直交する断面の形状は、固定部材８側に向かって開口した略Ｕ字状である。クラッド６は、出光面４３に対向した透光部６０と、透光部６０の第２方向の両側の端部から１対の第２反射面５２に沿って固定部材８側に向かって突出した１対の側壁部６１とを有している。
【００３５】
透光部６０は、コア４の長手方向の全長に亘って形成されている。透光部６０の出光面４３側の面は、出光面４３に沿った突曲面となっており、その全体が出光面４３に接合されている。コア４の出光面４３から出射された光は、透光部６０を通って固定部材８とは反対側に出射する。
【００３６】
各側壁部６１は、コア４の長手方向の全長に亘って形成されている。各側壁部６１のコア４側の面は、対応する第２反射面５２に沿って凹んだ凹面６２を有している。各側壁部６１の凹面６２は、全体が対応する第２反射面５２に接合されている。
【００３７】
各側壁部６１は、コア４の第１反射面５１よりも固定部材８側（出光面４３と反対側）に向かって突出した突出部６３を有している。
【００３８】
本例のクラッド６は、後述する反射シート７を保持するための保持部６４をさらに有している。保持部６４は、１対の保持溝６５を有している。
【００３９】
１対の保持溝６５は、１対の側壁部６１にそれぞれ形成されている。各保持溝６５は、側壁部６１の突出部６３に形成されている。各保持溝６５は、クラッド６の第２方向における中央側に向かって開口し、クラッド６の長手方向に延びた断面矩形状の溝である。
【００４０】
各保持溝６５は、クラッド６の長手方向の全長に亘っている。コア４の第１反射面５１は、第１方向に見て、両保持溝６５の間に位置している。
【００４１】
クラッド６は、導光部材３を保持する固定部材８を引っ掛けて固定するための引掛部６６を有している。引掛部６６は、クラッド６の固定部材８側の端部に形成されている。
【００４２】
本例では、クラッド６の１対の側壁部６１の各々に掛止部６７が形成されており、両掛止部６７で引掛部６６が構成されている。
【００４３】
各掛止部６７は、クラッド６の第２方向における外側（コア４とは反対側）に向かって開口し、クラッド６の長手方向に延びた断面矩形状の溝である。両掛止部６７は、クラッド６の長手方向の全長に亘っている。コア４の第１反射面５１は、第１方向に見て、両掛止部６７の間に位置している。
【００４４】
本例の導光器２は、さらに反射シート７を具備している。反射シート７は、第１反射面５１に沿って配置されている。反射シート７は、第１反射面５１の長手方向の全長に亘っており、クラッド６の両突出部６３の間に露出した第１反射面５１の全体を覆っている。
【００４５】
反射シート７は、第１反射面５１側の一面で構成された光反射面７０を有している。反射シート７は、例えば合成樹脂シートに反射率の高い金属膜が積層されたシートである。光反射面７０は、例えば前記金属膜によって構成される。光反射面７０は、コア４から第１反射面５１を介して出射された光をコア４に向かって反射する。
【００４６】
反射シート７の第２方向における両側の端部は、クラッド６の両側の保持溝６５にそれぞれ挿入されている。これにより、反射シート７は、クラッド６の保持溝６５で保持されている。
【００４７】
導光部材３が固定される固定部材８は、遮光性を有しており、金属材料又は合成樹脂材料等から形成される。固定部材８の長手方向と直交する断面形状は、固定部材８の長手方向に亘って一様である。
【００４８】
固定部材８は、固定部材８の長手方向と直交する断面の形状が、導光部材３側に向かって開口した略Ｕ字状である。固定部材８は、反射シート７を介して出光面４３に対向する板状のカバー部８０と、カバー部８０の第２方向の両側の端部から導光部材３側に向かって突出した１対の被引掛片部８１とを備えている。
【００４９】
固定部材８は、クラッド６の引掛部６６に凹凸嵌合により引っ掛け可能な被引掛部８２を備えている。本例の被引掛部８２は、固定部材８の第２方向の両側に形成された１対の被引掛片部８１で構成されている。
【００５０】
１対の被引掛片部８１の間には、導光部材３の固定部材８側の端部が位置している。カバー部８０から突出した１対の被引掛片部８１の各々の先端部には、第２方向において固定部材８の中央側に向かって突出した爪部８３が形成されている。
【００５１】
各爪部８３は、対応する掛止部６７に引っ掛けられている。これにより、被引掛部８２は引掛部６６に固定され、導光部材３は固定部材８によって保持されている。
【００５２】
固定部材８は、例えばカバー部８０が設置部９０（図１参照）にねじ等の固着具を用いて固定される。また、導光部材３は、例えば固定部材８が設置部９０に固定された後、図２に示されるように、被引掛部８２が引掛部６６に引っ掛けられることで、固定部材８に固定される。
【００５３】
クラッド６における両掛止部６７の間の部分は、固定部材８のカバー部８０により覆われている。
【００５４】
第１反射面５１とカバー部８０は、第１方向に離間しており、第１反射面５１とカバー部８０の間には、反射シート７と電線１３を配置するための隙間２０が形成されている。隙間２０は、導光部材３の長手方向に延びており、導光部材３の長手方向の全長に亘っている。なお、電線１３は、例えば回路基板１２（図１参照）に接続されて発光体１１（図１参照）に電力を供給する。
【００５５】
図２に示されるように、固定部材８の第２方向における両側の側面は、１対の被引掛片部８１の外面で構成されている。また、導光部材３の第２方向における両側の側面は、クラッド６の１対の側壁部６１の外面で構成されている。各被引掛片部８１の外面は、対応する側壁部６１の外面と面一である。すなわち、固定部材８の第２方向における両側の側面は、クラッド６の第２方向における両側の側面と面一である。
【００５６】
次に導光部材３の製造装置９１について説明する。図４に示された製造装置９１は、押出成形機９２と、サイジング９３と、水槽９４と、引取機９５と、レーザー加工機９６と、切断機９７と、整列機９８とを備えている。押出成形機９２と、サイジング９３と、水槽９４と、引取機９５と、レーザー加工機９６と、切断機９７と、整列機９８とは、この順序で並んでいる。
【００５７】
本例の導光部材３の製造方法は、押出工程、サイジング工程、冷却工程、引取工程、切削工程、切断工程、及び整列工程を含む。
【００５８】
押出工程では、押出成形機９２により、コア４（図２参照）となる合成樹脂材料とクラッド６（図２参照）となる合成樹脂材料とが２色押出成形されることにより、導光部材３を構成する押出成形体が成形される。
【００５９】
引取工程では、引取機９５により、押出成形機９２から押し出された押出成形体が引っ張られる。これにより、押出成形体は、サイジング９３と、水槽９４と、引取機９５と、及びレーザー加工機９６とを順に通過する。この押出成形体に対しては、押出成形機９２による押出工程、サイジング９３によるサイジング工程、水槽９４による冷却工程、及びレーザー加工機９６による切削工程が順に実施され、この後、押出成形体は切断工程にて切断される。
【００６０】
サイジング工程では、サイジング９３を通過する押出成形体の断面形状が、サイジング９３によって所定の形状に整えられる。
【００６１】
冷却工程では、押出成形体が水槽９４を通過する。これにより、押出成形体は、水槽９４内の水によって冷却されて固化する。
【００６２】
切削工程では、引取機９５によって押出方向に移動している押出成形体に向けて、レーザー加工機９６からレーザーが照射される。そして、このようにレーザー加工機９６から照射されたレーザーによって、押出成形体の第１反射面５１を構成する部分に、多数の拡散溝４５（図３参照）が形成される。
【００６３】
切断工程では、切断機９７から照射されたレーザーにより、引取機９５によって押出方向に移動している押出成形体が切断される。これにより、所望の長さを有する複数の導光部材３が切り出される。このように切り出された複数の導光部材３の長手方向の端面（第１入光面４１及び第２入光面４２）は、切断機９７から照射したレーザーによって溶断された平坦な面になる。
【００６４】
整列工程では、前記切り出された複数の導光部材３が、整列機９８によって順次整列して配置される。
【００６５】
（第２例）
次に本実施形態の第２例の導光器２について説明する。なお、以下の第２例の説明では、第１例と共通の構成については同一の符号を付して説明を省略する。
【００６６】
本例では図５に示されるようにクラッド６の１対の側壁部６１に、固定部材８側に向かって突出した１対の引掛片部６８が形成されており、これら１対の引掛片部６８により引掛部６６が構成されている。
【００６７】
各引掛片部６８は、第１方向において、第１反射面５１よりも固定部材８側に突出している。１対の引掛片部６８の各々の突出端部には、第２方向においてクラッド６の中央側に向かって突出した掛止部６７が形成されている。また、１対の保持溝６５は、１対の引掛片部６８の基端部（掛止部６７とは反対側の端部）に形成されている。
【００６８】
固定部材８の各爪部８３は、第２方向において固定部材８の外側に向かって突出している。固定部材８は、１対の引掛片部６８の間に挿入されている。固定部材８の各爪部８３は、対応する掛止部６７に引っ掛けられている。これにより導光部材３は固定部材８に固定されている。
【００６９】
固定部材８のカバー部８０の外面は、１対の側壁部６１から突出した１対の引掛片部６８の各々の突出端と第１方向において略同じ位置に配されている。
【００７０】
以上説明した本実施形態の導光器２は、以下の構成を有する。導光器２は、一方向に延びた導光部材３と、導光部材３の長手方向に直交する方向において導光部材３と並び、導光部材３に固定される固定部材８とを具備する。導光部材３は、導光部材３の長手方向に延びた透光性を有するコア４と、導光部材３の長手方向に延び、コア４の外周面に積層された透光性を有するクラッド６とを備える。コア４は、コア４の長手方向の一方の端面で構成された入光面４１と、コア４の固定部材８とは反対側に臨んだ面で構成された出光面４３と、入光面４１から入射した光を出光面４３側に反射する反射部（第１反射面５１）とを有する。クラッド６は、クラッド６の固定部材８側の端部に形成され、固定部材８を引掛可能な引掛部６６を有する。
【００７１】
この構成を有する導光器２は、固定部材８の被引掛部８２をクラッド６の引掛部６６に引っ掛けることで、導光部材３を固定部材８に簡単かつ強固に固定できる。
【００７２】
また、本実施形態の導光器２は、以下の付加的な構成を有する。導光部材３の長手方向に直交しかつ導光部材３と固定部材８とが並ぶ方向を第１方向とする。導光部材３の長手方向と直交しかつ第１方向と直交する方向を第２方向とする。引掛部６６は、クラッド６の第２方向における両側の各々に形成された掛止部６７を有する。反射部は、コア４の出光面４３とは反対側の一面である反射面５１（第１反射面５１）で構成される。反射面５１は、第１方向に見て、両掛止部６７の間に位置する。固定部材８は、クラッド６における両掛止部６７の間の部分を覆うカバー部８０を備える。
【００７３】
この構成を有する導光器２は、クラッド６における両掛止部６７の間の部分を固定部材８のカバー部８０で覆い隠すことができる。
【００７４】
また、本実施形態の導光器２は、以下の付加的な構成を有する。導光器２は、導光部材３とカバー部８０との間に配置された反射シート７をさらに具備する。反射シート７は、反射面５１に沿い、コア４から反射面５１を介して出射された光をコア４に向かって反射するように構成される。クラッド６は、クラッド６の第２方向における両側の各々に形成され、クラッド６の第２方向における中央側に向かって開口した保持溝６５を有する。反射シート７の第２方向における両端部が、両保持溝６５にそれぞれ挿入される。反射シート７が両保持溝６５により保持される。
【００７５】
この構成を有する導光器２は、反射シート７により、コア４から反射面５１を介して出射された光がコア４に反射される。このため、導光部材３の発光効率が向上する。また、クラッド６の両保持溝６５により反射シート７が保持される。
【００７６】
また、本実施形態の導光器２は、以下の付加的な構成を有する。反射面５１とカバー部８０との間に、電線１３を配置するための隙間２０が形成される。
【００７７】
この構成を有する導光器２は、反射面５１とカバー部８０の間に形成された隙間２０に、電線１３を配置できる。
【００７８】
また、本実施形態の導光器２は、以下の付加的な構成を有する。コア４の第２方向における両側の側面（第２反射面５２）の各々は、コア４の外側に向かって膨らんだ弧状の曲面である。出光面４３において第２方向における中間部は、固定部材８側に凹んだ凹曲面４６である。出光面４３の第２方向における両側の端部の各々は、第２方向において出光面４３の外側に近い部分ほど第１方向において固定部材８に近づくように湾曲した湾曲面４７である。
【００７９】
この構成を有する導光器２は、反射面５１で反射した後に、コア４の第２方向における両側の側面に至った光が、出光面４３側に全反射しやすくなる。このため、コア４の第２方向における両側の側面からの光漏れが抑制され、発光効率が向上する。また、出光面４３の凹曲面４６から出射される光は、第２方向の外側に向かって屈曲しやすくなる。このため、凹曲面４６から出射された光により凹曲面４６よりも幅の広い領域を照らすことが可能になる。また、反射面５１で反射した後に両湾曲面４７から出射される光は、両湾曲面４７によって若干の拡散性が付与される。このため、出光面４３から出射された光の照射領域における幅方向の両側部分にあっては、その照度が幅方向の外側に行くにつれて緩やかに低下し、照射領域とそれ以外の領域との境界部分がぼかされたようになって、優れた演出効果が得られる。
【００８０】
また、本実施形態の導光器２は、以下の付加的な構成を有する。固定部材８の第２方向における両側の側面は、クラッド６の第２方向における両側の側面と面一である。
【００８１】
この構成を有する導光器２は、固定部材８の第２方向における両側の側面は、クラッド６の第２方向における両側の側面と面一となり、導光器２の意匠性が向上する。
【００８２】
また、本実施形態の導光部材３の製造方法は、以下の構成を有する。一方向に延びた導光部材３を製造する。導光部材３は、導光部材３の長手方向に延びた透光性を有するコア４と、導光部材３の長手方向に延びてコア４の外周面に積層された透光性を有するクラッド６とを備える。コア４は、コア４の長手方向の一端面で構成された入光面４１と、コア４の長手方向に沿った一面で構成された出光面４３と、入光面４１から入射した光を反射して出光面４３から出射する反射部とを有する。クラッド６は、クラッド６の固定部材８側の端部に形成され、導光部材３とは異なる他の部材（固定部材８）を引掛可能な引掛部６６を備える。コア４とクラッド６とを２色押出成形により成形する。
【００８３】
この構成を有する導光部材３の製造方法では、他の部材に簡単かつ強固に固定できる導光部材３を２色押出成形により容易に製造できる。
【００８４】
なお、発光体１１は、有機エレクトロルミネッセンス、蛍光灯、又は白熱電球等であってもよい。
【００８５】
また、コア４は、例えばポリカーボネートやポリオレフィン等のアクリル樹脂以外の材料から形成されてもよい。また、クラッド６は、アクリル樹脂等のフッ素系樹脂以外の材料かれ形成されてもよい。また、本実施形態のクラッド６は、コア４の外周面において第１反射面５１を除く部分を覆っているが、コア４の外周面の全体を覆ってもよい。
【００８６】
また、本実施形態の導光部材３は、コア４とクラッド６とで構成されているが、コア４及びクラッド６とは別の部分を備えてもよい。
【００８７】
また、本実施形態では、コア４の長手方向の両端面の各々が、光源１０からの光が入射する入光面４１となっているが、コア４の長手方向の一方の端面のみが入光面４１であってもよい。また、コア４の反射部は、例えばコア４の主部を構成する合成樹脂材料に含まれる多数のビーズ等で構成されてもよい。
【００８８】
また、本実施形態の引掛部６６は、２つの掛止部６７で構成されているが、１又は３以上の掛止部６７で構成されてもよい。また、反射シート７は省略可能である。また、導光部材３は本実施形態の製造装置９１によって製造されるものに制限されない。
【００８９】
また、この他、本実施形態の導光器２は、本発明の趣旨を逸脱しない範囲で適宜設計変更可能である。
【符号の説明】
【００９０】
１  照明装置
１３  電線
２  導光器
２０  隙間
３  導光部材
４  コア
４１  第１入光面（入光面）
４３  出光面
４６  凹曲面
４７  湾曲面
５１  第１反射面（反射部）
６  クラッド
６５  保持溝
６６  引掛部
６７  掛止部
７  反射シート
８  固定部材（他の部材）
８０  カバー部
８２  被引掛部
【図１】
0006675088.tif 000002
【図２】
0006675088.tif 000003
【図３】
0006675088.tif 000004
【図４】
0006675088.tif 000005
【図５】
0006675088.tif 000006